(57)【要約】【課題】次の機能を満足する体位変換器を実現する。（１）既存の電動介護ベッドや褥瘡予防用具と併用できるように、柔軟性を持たせる。（２）体位変換動作が滑らかで、かつ体圧分散できることで快適性を向上させる。（３）分解できる構造にし、かつ軽くすることで運搬、設置、格納を容易にする。（４）価格を安くする。【解決手段】ベッドの長手方向に並列配置され、交互に膨張及び収縮操作される２系統のエアセルユニットを有し、各系統のエアセルユニットは収縮時にはフラット形状に、膨張時にはベッド端部側が中央部側より大きく略扇状に膨張する形状とされる体位変換器において、前記各系統のエアセルユニットのベッド中央部側が前記長手方向に部分的に重ね合わされて配置されている。【選択図】                    図１
2004254763.tif 000002
【特許請求の範囲】
【請求項１】
ベッドの長手方向に並列配置され、交互に膨張及び収縮操作される２系統のエアセルユニットを有し、各系統のエアセルユニットは収縮時にはフラット形状に、膨張時にはベッド端部側が中央部側より大きく略扇状に膨張する形状とされる体位変換器において、
前記各系統のエアセルユニットのベッド中央部側が前記長手方向に部分的に重ね合わされて配置されていることを特徴とする、体位変換器。
【請求項２】
前記各系統のエアセルユニットは、複数のエアセルユニットを上下方向に多層重ね合わせると共に、同系統で上下に隣り合うエアセルユニット間を空気管路で結合して構成したことを特徴とする、請求項１記載の体位変換器。
【請求項３】
前記部分的な重ね合わさせ配置は、前記各系統のエアセルユニットを構成する複数のエアセルユニットが交互に重ね合わされていることを特徴とする、請求項２記載の体位変換器。
【請求項４】
前記上下に隣り合うエアセルユニット間を結合する空気管路は、前記エアセルユニットが膨張した時に最短距離に配管されると共に、前記各系統のエアセルユニットへの空気供給位置は、相手方が略扇状に膨張した時の要位置近傍としたことを特徴とする、請求項２又は３記載の体位変換器。
【請求項５】
前記各系統のエアセルユニットの１個において、前記ベッド中央部側よりベッドの反対側端部に延長された転落防止用の補助エアセルが形成されていることを特徴とする、請求項１乃至４のいずれかに記載の体位変換器。
【請求項６】
前記各系統のエアセルユニットの部分的な重ね合わさせ箇所を、熱融着又は溶着又は両面テープ又はテープ又は接着剤で固定したことを特徴とする、請求項１乃至５のいずれかに記載の体位変換器。
【請求項７】
前記各系統のエアセルユニットの部分的な重ね合わさせ箇所を、ベルクロ手段により分離可能に固定したことを特徴とする、請求項１乃至５のいずれかに記載の体位変換器。
【請求項８】
前記各系統のエアセルユニット内に、その断面形状を維持するための複数の襠部材を取り付けたことを特徴とする、請求項１乃至７のいずれかに記載の体位変換器。
【請求項９】
前記襠部材は、前記各系統の互いに隣り合うエアセルユニットにおいて取り付け位置がずらされていることを特徴とする、請求項８記載の体位変換器。
【発明の詳細な説明】
【０００１】
【発明の属する技術分野】
本発明は、床擦れを防止するための介護用具である体位変換器に関する。
【０００２】
【従来の技術】
図５は、特許文献記載の体位変換器の構成図である。長手方向に伸びる基板１と、左右に可動部２ａ，２ｂを有する補助基板２との間に、長手方向に並列配置され交互に膨張及び収縮操作される２系統のエアセル３，４を有する。各系統のエアセルは空気配管５，６より給排気され、収縮時にはフラット形状に、膨張時にはベッド端部側が中央部側より大きく略扇状に膨張する形状とされる。
【０００３】
３ａ，３ｂは、エアセル３，４が膨張するときにこれらエアセルとはベッド反対側において膨張する補助エアセルであり、前記補助基板２の可動部２ｂ，２ａを回動させ、被介護者のベッドからの転落を防止する。
【０００４】
【特許文献】
特開平５−２９９１７３「介護用具」
【０００５】
【発明が解決しようとする課題】
従来の体位変換器は、特許文献のようにフラットな基板や補助基板を具備する専用機が多いので、ベース部が背上げや脚上げで屈曲操作される既存の電動介護ベッドとは併用できない、又は併用が困難なものが多い。電動機によるシリンダー駆動機構を用いた体位変換器の場合でも、既存の電動介護ベッドとの併用はできない。更に従来の体位変換器の構造では、既存の褥瘡予防用具との併用も困難である。
【０００６】
エアセル方式の体位変換器では、膨張時には、体に当たらない部分がブカブカに膨らみ、その後で体に当たる部分が膨張する。逆に収縮時には、体に当たる部分が初めに収縮し、その後で体に当たらない部分が収縮する。そのため、体位変換動作が滑らかではない。
【０００７】
更に、エアセル方式の体位変換器では、体に対してはエアセルの突起状の部分が当たるものが多い。そのため部分的に体圧が集中してしまい、褥瘡予防効果が減少する。
【０００８】
電動機によるシリンダー駆動機構を用いた体位変換器の場合には、分解が困難であり、かつ重いので、運搬、設置、格納が困難である。エアセル方式の体位変換器は基板又は補助基板との一体型がほとんどであり、かさばるものが多い。更に、体位変換専用機のために既存の電動介護ベッド、褥瘡予防用具との併用が不可能または困難なので、使用先が限定されてしまう。その結果、販売台数が多くならないので、価格が高いという問題点がある。
【０００９】
本発明の目的は、次の項目を満足させた体位変換器を実現することにある。
（１）既存の電動介護ベッドや褥瘡予防用具と併用できるように、柔軟性を持たせる。
（２）体位変換動作が滑らかで、かつ体圧分散できることで快適性を向上させる。
（３）分解できる構造にし、かつ軽くすることで運搬、設置、格納を容易にする。
（４）価格を安くする。
【００１０】
【課題を解決するための手段】
このような目的を達成するための本発明の構成は次の通りである。
（１）ベッドの長手方向に並列配置され、交互に膨張及び収縮操作される２系統のエアセルユニットを有し、各系統のエアセルユニットは収縮時にはフラット形状に、膨張時にはベッド端部側が中央部側より大きく略扇状に膨張する形状とされる体位変換器において、
前記各系統のエアセルユニットのベッド中央部側が前記長手方向に部分的に重ね合わされて配置されていることを特徴とする、体位変換器。
【００１１】
（２）前記各系統のエアセルユニットは、複数のエアセルユニットを上下方向に多層重ね合わせると共に、同系統で上下に隣り合うエアセルユニット間を空気管路で結合して構成したことを特徴とする、請求項１記載の体位変換器。
【００１２】
（３）前記部分的な重ね合わさせ配置は、前記各系統のエアセルユニットを構成する複数のエアセルユニットが交互に重ね合わされていることを特徴とする、請求項２記載の体位変換器。
【００１３】
（４）前記上下に隣り合うエアセルユニット間を結合する空気管路は、前記エアセルユニットが膨張した時に最短距離に配管されると共に、前記各系統のエアセルユニットへの空気供給位置は、相手方が略扇状に膨張した時の要位置近傍としたことを特徴とする、請求項２又は３記載の体位変換器。
【００１４】
（５）前記各系統のエアセルユニットの１個において、前記ベッド中央部側よりベッドの反対側端部に延長された転落防止用の補助エアセルが形成されていることを特徴とする、請求項１乃至４のいずれかに記載の体位変換器。
【００１５】
（６）前記各系統のエアセルユニットの部分的な重ね合わさせ箇所を、熱融着又は溶着又は両面テープ又はテープ又は接着剤で固定したことを特徴とする、請求項１乃至５のいずれかに記載の体位変換器。
【００１６】
（７）前記各系統のエアセルユニットの部分的な重ね合わさせ箇所を、ベルクロ手段により分離可能に固定したことを特徴とする、請求項１乃至５のいずれかに記載の体位変換器。
【００１７】
（８）前記各系統のエアセルユニット内に、その断面形状を維持するための複数の襠部材を取り付けたことを特徴とする、請求項１乃至７のいずれかに記載の体位変換器。
【００１８】
（９）前記襠部材は、前記各系統の互いに隣り合うエアセルユニットにおいて取り付け位置がずらされていることを特徴とする、請求項８記載の体位変換器。
【００１９】
【発明の実施の形態】
以下本発明実施態様を、図面を用いて説明する。図１は本発明を適用した体位変換器の基本構成を示す上下方向の分解断面図である。
【００２０】
１０１は断面で示すＡ系統エアセルユニットであり、ウレタンフィルム等の可撓性材料で筒状に形成されている。２０１は同様構成のＢ系統エアセルユニットである。これら２系統のエアセルユニットは、ベッド幅Ｓ１内でベッド長手方向に並列配置され、交互に膨張及び収縮操作される。各系統のエアセルユニットは収縮時にはフラット形状に、膨張時にはベッド端部側が中央部側より大きく略扇状に膨張する。図では構成の理解のため、両者を膨張状態で示している。
【００２１】
本発明の特徴の第１は、各系統のエアセルユニットのベッド中央部側の距離Ｓ２が、長手方向に部分的に重ね合わされて配置されている点である。重ね合わせることにより、２系統の結合性、安定性を向上させることができる。
【００２２】
１０１´はＡ系統エアセルユニット１０１の中央部側よりベッドの反対側端部に延長して形成された転落防止用の補助エアセルである。同様に２０１´はＢ系統エアセルユニット２０１の中央部側よりベッドの反対側端部に延長して形成された転落防止用の補助エアセルである。
【００２３】
１０２はエアセルユニット１０１に追加されるＡ系統のエアセルユニットであり、Ｂ系統のエアセルユニット２０１の上方に配置される。同様に、２０２はエアセルユニット２０１に追加されるＢ系統のエアセルユニットであり、追加されたＡ系統のエアセルユニット１０２の上方に配置される。この繰り返しで追加エアセルユニットの数は任意である。エアセルユニットを上下方向に多層重ね合わせすることにより、体位変換角度を大きくする、又体位変換角度を調節することができる。
【００２４】
本発明の特徴の第２は、各系統のエアセルユニットの部分的な重ね合わさせ配置が、各系統の複数のエアセルユニットが上下方向に交互に重ね合わされた構造を取る点である。尚、転落防止用の補助エアセルは、各系統のエアセルユニットの１個（通常は図示のように一番下）にのみ形成される。
【００２５】
本発明の特徴の第３は、複数のエアセルユニットを上下方向に多層重ね合わせると共に、同系統で上下に隣り合うユニット間を空気管路で結合した構成である。隣り合うユニット間を結合する空気管路は、エアセルユニットが膨張した時に最短距離に配管されると共に、前記各系統のエアセルへの空気供給位置は、相手方系統のエアセルユニットが略扇状に膨張した時の要近傍としたことでエアセルの膨張による影響を最小限にする。
【００２６】
Ａ系統のエアセルユニット１０１において、１０１ａは１０１の上縁部に、１０１ｂは下縁部に形成され、かつＢ系統のエアセルユニット２０１が略扇状に膨張した時の要近傍位置に形成された空気管路接続口である。追加されたエアセルユニット１０２において、１０２ａは下縁部に形成された空気管路接続口である。１０３は、１０１ａと１０２ａを最短距離で結ぶ空気管路、１０４はポンプからの加圧空気を１０１ｂに供給する空気管路である。
【００２７】
同様に、Ｂ系統のエアセルユニット２０１において、２０１ａは２０１の上縁部に、２０１ｂは下縁部に形成され、かつＡ系統のエアセルユニット１０１が略扇状に膨張した時の要近傍位置に形成された空気管路接続口である。追加されたエアセルユニット２０２において、２０２ａは下縁部に形成された空気管路接続口である。２０３は、２０１ａと２０２ａを結ぶ空気管路、２０４はポンプからの加圧空気を２０１ｂに供給する空気管路である。
【００２８】
このような空気管路接続構成により、エアセルユニットが多数使用される場合でも、ポンプから各エアセルユニットへの配管は各系統に一箇所とすることが可能となり、ベッドへのセット作業や運搬の効率が大幅に向上する。
【００２９】
本発明の特徴の第４は、各系統のエアセルユニットの部分的な重ね合わさせ箇所を、熱融着又は溶着又は両面テープ又はテープ又は接着剤で固定し、又はベルクロ手段により分離可能に固定した点である。
【００３０】
Ａ系統のエアセルユニット１０１において、１０１ｃはＢ系列のエアセルユニットと重なる距離Ｓ２の範囲でエアセルユニット１０１の上部に貼り付けられたベルクロ手段である。追加されたエアセルユニット１０２において、１０２ｂはＢ系列のエアセルユニットと重なる距離Ｓ２の範囲でエアセルユニット１０２の下部に貼り付けられたベルクロ手段、１０２ｃは上部に貼られたベルクロ手段である。
【００３１】
同様に、Ｂ系列のエアセルユニット２０１において、２０１ｃはＡ系列のエアセルユニットと重なる距離Ｓ２の範囲でエアセルユニット２０１の下部に貼り付けられたベルクロ手段、２０１ｄは上部に張られたベルクロ手段である。追加されたエアセルユニット２０２において、２０２ｂはＡ系列のエアセルユニットと重なる距離Ｓ２の範囲でエアセルユニット２０２の下部に貼り付けられたベルクロ手段である。
【００３２】
各エアセルユニットに貼られたベルクロ手段は、重ね合わされて対向する相手方の系列のエアセルユニットに貼られたベルクロ手段と結合し、２系列のエアセルユニットが一体化されている。ベルクロ手段では分離追加が可能であるが、熱融着又は溶着又は両面テープ又はテープ又は接着剤で固定してしまう構造も可能である。
【００３３】
図２（イ），（ロ）は、図１に示した基本構成で本発明の体位変換器の実際の動きを示す動作説明図である。操作の手順は、
（１）エアセルユニット１０１及び１０２が連結されているＡ系統をポンプ３００で給気し、膨張させる。Ｂ系統は排気しフラットに収縮させる。この状態を図２（イ）に示す。
（２）エアセルユニット２０１及び２０２が連結されているＢ系統をポンプ３００で給気し、膨張させる。Ａ系統は排気しフラットに収縮させる。この状態を図２（ロ）に示す。
（３）上記（１）、（２）の操作を周期的に繰り返す。
【００３４】
本発明の特徴の第５は、各エアセルユニット内に、その断面形状を維持するための複数の襠部材を取り付けた点にある。図３はエアセルユニット１０１を代表として示した襠部材取り付けのイメージを説明する斜視図である。
【００３５】
４０１乃至４０ｎは、断面がエアセルユニット１０１の断面と同一形状のｎ枚の襠部材であり、等間隔で並べられ、全周端部がエアセルユニット１０１の内周壁に溶着又は融着されている。襠部材の材質はエアセルユニットと同じウレタンフィルム又は布等の可撓性を有する他の部材でも良い。４０１ａは襠部材４０１に設けた通気孔である。他の襠部材にも同様な通気孔が形成され、襠部材の存在が膨張又は収縮の際の空気の通過を妨げないようにしている。襠部材の材質として布等の通気性のあるものを使用すれば通気孔は必ずしも必要ではない。
【００３６】
図４は、襠部材を取り付けた２系統のエアセルユニットの平面図であり、襠部材の取り付け位置の関係を示している。図４（イ）は、エアセルユニット１０１の平面図であり、９枚の襠部材４０１乃至４０９が距離Ｌで等間隔に配置され、先頭の襠部材４０１及び終端の襠部材４０９とエアセルユニット１０１の一方の端部及び他方の端部との距離がＬ／２となっている。
【００３７】
図４（ロ）は、エアセルユニット２０１の平面図であり、８枚の襠部材５０１乃至５０８が距離Ｌで等間隔に配置され、先頭の襠部材５０１及び終端の襠部材５０８とエアセルユニット２０１の一方の端部及び他方の端部との距離もＬとなっている。（イ），（ロ）の対比で明らかなように、各系統の互いに隣り合うエアセルユニットにおいて襠部材取り付け位置がＬ／２ずらされている。
【００３８】
襠部材取り付けの目的は、エアセルユニットを膨張操作する際に体圧がかかっていない箇所が異常に膨張しないようにエアセルユニットの形状をできるだけ維持して膨張させるものであり、襠部材の数は多いほどその効果が高いが、製造コストとの兼ね合いで制限がある。襠部材と襠部材の間には外側に膨らむ膨張現象が発生するので、図４のように各系統の互いに隣り合うエアセルユニットの襠部材取り付け位置をＬ／２ずらすことで、見かけ上の取り付け数を増加させることができ、襠部材間の膨張現象を軽減させる効果がある。
【００３９】
【発明の効果】
以上説明したことから明らかなように、本発明によれば次のような効果を期待することができる。
（１）柔軟性があり、全体が１枚のシート状のマットレスとして取り扱うことができるので、既存の電動介護ベッド、褥瘡予防用具と容易に併用できる。
（２）重ね合わせや襠部材によるエアセルユニットの形状維持効果により、体位変換動作が滑らかとなり、かつ体圧分散効果も向上し、快適性を高めることができる。
（３）分解できる構造でありかつ軽いので、運搬、設置、格納が容易である。
（４）機構部がほとんどなく、専用機に比較して価格を格段に安くできる。
【図面の簡単な説明】
【図１】本発明を適用した体位変換器の基本構成を説明する、上下方向の分解断面図である。
【図２】本発明の体位変換器の実際の動きを示す動作説明図である。
【図３】エアセルユニットへの襠部材取り付けのイメージを説明する斜視図である。
【図４】襠部材を取り付けた２系統のエアセルユニットの平面図である。
【図５】特許文献記載の体位変換器の構成図である。
【符号の説明】
１０１  Ａ系統エアセルユニット
１０１´  補助エアセル
１０１ａ，１０１ｂ  空気管路接続口
１０１ｃ  ベルクロ手段
１０２  追加されるＡ系統エアセルユニット
１０２ａ  空気管路接続口
１０２ｂ，１０２ｃ  ベルクロ手段
１０３，１０４  空気管路
２０１  Ｂ系統エアセルユニット
２０１´  補助エアセル
２０１ａ，２０１ｂ  空気管路接続口
２０１ｃ，２０１ｄ  ベルクロ手段
２０２  追加されるＢ系統エアセルユニット
２０２ａ  空気管路接続口
２０２ｂ  ベルクロ手段
２０３，２０４  空気管路
【図１】
2004254763.tif 000003
【図２】
2004254763.tif 000004
【図３】
2004254763.tif 000005
【図４】
2004254763.tif 000006
【図５】
2004254763.tif 000007